(57)【要約】【課題】冷凍室及び冷蔵室間の中仕切部の仕切板の仕様に関し、仕切板の露付防止を図る。【解決手段】冷冷蔵庫本体１の凍室５と冷蔵室６とを区画する中仕切部の内箱１６の端部に溝部１６ａを設けて露付防止用放熱パイプ１１をこの溝部１６ａ内に挿入し、内箱１６の端部と嵌合する係止部を有する仕切板１７の断面構造とすることにより、露付防止用放熱パイプ１１を仕切板１７に確実に接触させて効率よく熱伝導させ、仕切板１７の結露を確実に防止することができる。【選択図】図１
2005164194.tif 000002
【特許請求の範囲】
【請求項１】
外箱と、冷凍室と冷蔵室を形成する内箱と、前記内箱の端部に設けられた溝部に挿入された露付防止用放熱パイプと、前記内箱の端部に設けられた溝部と嵌合する係止部を有する仕切板とを有し、前記露付防止用放熱パイプを前記内箱で直接仕切板に接触させることを特徴とする冷蔵庫。
【請求項２】
前記露付防止用放熱パイプの外周形状に合わした係止部を有する仕切板と、前記露付防止用放熱パイプを仕切板に接触するように圧接する端部形状を有する内箱からなることを特徴とする請求項１に記載の冷蔵庫。
【請求項３】
前記露付防止用放熱パイプと接触するＬ字形状からなる係止部を有する仕切板と、前記露付防止用放熱パイプを仕切板に圧接する端部形状を有する内箱からなることを特徴とする請求項１に記載の冷蔵庫。
【発明の詳細な説明】
【技術分野】
【０００１】
本発明は、各室を区画する仕切板を形成し、この仕切板に露付防止用の放熱パイプを備えた冷蔵庫に関するものである。
【背景技術】
【０００２】
近年、冷蔵庫の仕切板部に冷凍サイクルの凝縮器を兼ね露付防止用として高温の放熱パイプを配設している。（例えば、特許文献１参照）
以下、図面を参照しながら上記従来の冷蔵庫の仕切板仕様を説明する。
【０００３】
図４〜図７は従来の冷蔵庫仕様を示すものである。
【０００４】
冷蔵庫本体１は、外箱２及び樹脂製の内箱３、この両箱２，３間に発泡充填された発泡断熱材４で形成され、その上部を冷凍室５、下部を冷蔵室６として前記内箱３で一体成型された中仕切壁７と合した中仕切壁断熱材８により区画されている。
【０００５】
中仕切壁７の前面部には溝部７ａが形成され、中仕切板９はこの溝部７ａ前面を覆い、その左右を前記外箱２のフランジ２ａに挿入され、さらにその上下に形成されたツメ９ａを溝部７ａに関けられたツメ孔７ｂに挿入係合して固定されている。ヒンジ固定具１０は、中央部が凸部形状を成しており、その凹部が前記溝部７ａに設けられた開口孔７ｃに挿入され固定されている。冷凍サイクル中の放熱パイプ１１は前記外箱２のフランジ２ａ内に挿入され、溝部７ａに延出されている。冷凍室扉１２及び冷蔵室扉１３を開閉自在に枢着しているヒンジ１４は、前記ヒンジ固定具１０に設けられたヒンジ孔１０ａにヒンジねじ１５で締結固定されている。
【０００６】
以上のように構成された冷蔵庫について以下その動作について説明する。
【０００７】
中仕切板９は冷凍室５及び冷蔵室６により冷却され外気温と温度差が生じ露が発生しやすい状態となる。このため冷凍サイクル中の高温の凝縮パイプを放熱パイプ１１として中仕切壁７前面溝部７ａに配設することにより中仕切板９へ熱伝導させ露付を防止している。
【特許文献１】特公平７−１０４０９９号公報
【発明の開示】
【発明が解決しようとする課題】
【０００８】
しかしながら、上記のような構成では、通常中仕切壁７の溝部７ａに延出された放熱パイプ１１は溝部７ａ内部で仕切板９に密着せず図６に示すごとく放熱パイプ１１が中仕切板９から離れた状態になり、そのため放熱パイプ１１の輻射熱では露付を防止できないという欠点があった。
【０００９】
本発明は従来の課題を解決するもので、仕切板に放熱パイプを確実に接触させることで、露付防止をすることを目的とする。
【課題を解決するための手段】
【００１０】
上記課題を解決するため、本発明の冷蔵庫は、外箱と、冷凍室と冷蔵室を形成する内箱と、前記内箱の端部に設けられた溝部に挿入された露付防止用放熱パイプと、前記内箱の端部に設けられた溝部と嵌合する係止部を有する仕切板とを有し、前記露付防止用放熱パイプを前記内箱で直接仕切板に接触させるものであり、放熱パイプの熱を確実に仕切板に熱伝導させる。
【発明の効果】
【００１１】
本発明の冷蔵庫によれば、露付防止用放熱パイプを内箱の溝部で直接仕切板に接触させる仕様としたので、確実に密着させることができるため仕切板の露付も確実に防止できる。
【発明を実施するための最良の形態】
【００１２】
請求項１に記載の冷蔵庫の発明は、外箱と、冷凍室と冷蔵室を形成する内箱と、前記内箱の端部に設けられた溝部に挿入された露付防止用放熱パイプと、前記内箱の端部に設けられた溝部と嵌合する係止部を有する仕切板とを有し、前記露付防止用放熱パイプを前記内箱で直接仕切板に接触させるものであり、放熱パイプの熱を確実に仕切板に熱伝導させる。
【００１３】
請求項２に記載の発明は、請求項１に記載の発明において、前記露付防止用放熱パイプの外周形状に合わした係止部を有する仕切板と、前記露付防止用放熱パイプを仕切板に接触するように圧接する端部形状を有する内箱からなるものであり、放熱パイプの熱を確実に仕切板に熱伝導させる。
【００１４】
請求項３に記載の発明は、請求項１に記載の発明において、前記露付防止用放熱パイプと接触するＬ字形状からなる係止部を有する仕切板と、前記露付防止用放熱パイプを仕切板に圧接する端部形状を有する内箱からなるものであり、放熱パイプの熱を確実に仕切板に熱伝導させる。
【００１５】
以下、本発明の実施の形態について、図面を参照しながら説明する。なお、従来と同一構成については、同一符号を付して詳細な説明を省略する。また、この実施の形態によってこの発明が限定されるものではない。
【００１６】
（実施の形態１）
図１は本発明の実施の形態１における仕切板部の断面図である。内箱１６には露付防止用放熱パイプ１１を挿入できるように溝部１６ａを設けた端部を設けており、前記内箱の溝部１６ａの挿入できるような係止部を有する仕切板１７が設けられている。
【００１７】
したがって、内箱１６の溝部１６ａで直接仕切板１７に放熱パイプ１１を押し当てているので露付防止用放熱パイプ１１が仕切板１７と接触し、仕切板の露付防止が実現できる。尚、本実施例は放熱パイプ１１を内箱１６の溝部１６ａで直接当てる仕様としたが溝部１６ａにフォーム等の部材を入れる仕様においても同様の効果が得られるものである。
【００１８】
以上のように本実施の形態の冷蔵庫は、放熱パイプ１１と、前記放熱パイプ１１を挿入できる溝部１６ａを有する内箱１６と、前記溝部１６ａと嵌合する係止部を有する仕切板１７から構成され、内箱１６の溝部１６ａで直接放熱パイプ１１を仕切板１７に直接接触させる仕様としたので、確実に放熱パイプ１１が仕切板１７に密着する。
【００１９】
（実施の形態２）
図２は、本発明の実施の形態２による仕切板部の断面図である。露付防止用放熱パイプ１１の外周形状に合した係止部１８ａを有した仕切板１８と、内箱１９には前記放熱パイプ１１を仕切板１８に接触するように圧接するような端部形状を有している。
【００２０】
したがって、放熱パイプ１１が仕切板１８に線ではなく面で接触させることが可能となり、仕切板の露付防止が実現できる。
【００２１】
以上のように本実施の形態の冷蔵庫は、露付防止用放熱パイプ１１の外周形状に合した係止部１８ａを有した仕切板１８と、前記放熱パイプ１１1を仕切板１８に接触するように圧接する端部形状を有する内箱１９とから構成され、放熱パイプ１１を面で仕切板１８に接触させるようにしたので、効率よく熱の伝導が行うことができる。
【００２２】
（実施の形態３）
図３は、本発明の実施の形態３による仕切板部の断面図である。露付防止用放熱パイプ１１と接触するＬ字形状２０ａを有する仕切板２０と、内箱２１には前記放熱パイプ１１を仕切板２０に圧接するよう端部形状を有している。
【００２３】
したがって、放熱パイプ１１が仕切板１８に上部と側部の２ヶ所で接触させることが可能となり、仕切板の露付防止が実現できる。
【００２４】
以上のように本実施の形態の冷蔵庫は、露付防止用放熱パイプ１１と接触するＬ字形状２０ａを有する仕切板２０と、前記放熱パイプ１１を仕切板２０に接触するように圧接する端部形状を有する内箱２１とから構成され、放熱パイプ１１を従来の１ヶ所から２ヶ所で仕切板１８に接触させるようにしたので、効率よく熱の伝導が行うことができる。
【産業上の利用可能性】
【００２５】
以上のように、本発明にかかる冷蔵庫は、冷凍室と冷蔵室間の中仕切部の仕切板の結露を確実に防止でき、冷凍冷蔵庫に限らず冷却室間を仕切る中仕切部を有する冷却機器全般の信頼性向上に有用である。
【図面の簡単な説明】
【００２６】
【図１】本発明の実施の形態１の仕切板部断面図
【図２】本発明の実施の形態２の仕切板部断面図
【図３】本発明の実施の形態３の仕切板部断面図
【図４】従来の冷蔵庫の斜視図
【図５】従来の中仕切壁の組立斜視図
【図６】従来の中仕切壁の断面図
【図７】従来の内箱組立斜視図
【符号の説明】
【００２７】
１    冷蔵庫本体
２    外箱
５    冷凍室
６    冷蔵室
１１    露付防止用放熱パイプ
１６    内箱
１６ａ    溝部
１７    仕切板
【図１】
2005164194.tif 000003
【図２】
2005164194.tif 000004
【図３】
2005164194.tif 000005
【図４】
2005164194.tif 000006
【図５】
2005164194.tif 000007
【図６】
2005164194.tif 000008
【図７】
2005164194.tif 000009